(57)【要約】【課題】ケーブルを横並び及び縦並びのいずれにも支持することができ、既設のインサートを利用してケーブルを増設することも可能になるケーブル支持インサート用取付具を提供する。【解決手段】インサート１０支持部１１の挿通孔１３に連結する連結体１を設ける。この連結体１に固定される固定板２を設ける。支持具３は、固定板２の下面に連結する連結部４と、連結部４の左右に設けられたケーブル係止片５とを有する。複数の支持具３を鉛直下方に連設する。【選択図】図１
2005130632.tif 000002
【特許請求の範囲】
【請求項１】
スラブ下面に埋設されるケーブル支持用のインサートに装着する取付具であって、該インサートは、自身の中央から下方に垂設した突起状の支持部に紐状の結束具を挿通する挿通孔が設けられ、一方、取付具は、インサート支持部の挿通孔に連結する連結体と、この連結体に固定された固定板と、固定板の下面に連結されケーブルを支持する支持具とから成り、該支持具は、固定板の下面に連結する連結部と、連結部の左右に対を成して設けられケーブル側面を挟着するケーブル係止片とを有し、複数の支持具を鉛直下方に連設したことを特徴とするケーブル支持インサート用取付具。
【請求項２】
前記支持具において、連結部に沿ってケーブル係止片を連設した支持具の列を、前記固定板の下面に複数列配した請求項1記載のケーブル支持インサート用取付具。
【請求項３】
前記インサートは、仮止釘が支持部の長手方向に沿って貫通することでスラブ型枠に固定され、スラブ型枠除去後に仮止釘を除去する除去用口を支持部の下部に設け、支持部の上部を横方向に貫通し除去用口に交差する前記挿通孔が設けられている請求項１記載のケーブル支持インサート用取付具。
【請求項４】
前記連結体は、仮止釘を除去した後の除去用口の下方から除去用口の内部に挿入する送入杆と、該挿入杆の上端に設けられ、前記挿通孔に係止する係止爪とを設けた請求項１乃至３いずれか記載のケーブル支持インサート用取付具。
【請求項５】
前記固定板は、インサート下面に近接するように装着され、固定板の長手両端部が少なくともインサート下面に接触可能な長さに形成された請求項１乃至３いずれか記載のケーブル支持インサート用取付具。
【発明の詳細な説明】
【技術分野】
【０００１】
本発明は、ケーブル支持インサートに複数本のケーブルを装着する際に用いるケーブル支持インサート用取付具に関する。
【背景技術】
【０００２】
近年、インターネットの普及により、マンション等の施工におけるケーブル支持工事のほとんどは、低圧屋内配線のほかに、弱電流電線（ＴＶ共聴、ＬＡＮケーブル）が各室に配線される。内線規程では、低圧屋内配線と弱電流電線とが直接接触しないように支持するように定められている。現状は、ケーブル支持インサート（以下、インサートと称する）を２個並べて設置するか、あるいは、インサートの近くに接着式ケーブル支持具を後施工で貼り付けて配線している。一般的なマンションの一部屋当たりに使用されるインサートの数量は、およそ４０〜５０箇所で２個並べて使用すると１００個程度になる。その為、取付けに費やす作業時間が長くなり、また、多数のインサートを使用することによって施工コストが嵩むなどの問題があった。
【０００３】
一般的に使用されているインサートは、図６に示す如く、インサート１０の中央に設けられた支持部１１の挿通孔１３に結束具３０を通し、この結束具３０でケーブルＰを固定するものが知られている。このインサート１０は、図７に示す如く、スラブＱを形成するスラブ型枠Ｒの上面に固定する際に、支持部１１に仮止釘２０を貫通させて固定する。スラブ型枠Ｒを取外した後は、図８に示す如く、仮止釘２０を所定の位置から切断除去し、あるいは図９に示す如く、仮止釘２０を所定の位置から抜き取り、図６に示す如く、支持部１１の側面を貫通した挿通孔１３に結束具３０を挿通してケーブルＰを支持するように形成している。この形状のケーブル支持インサートは、現在、業者間において一般的なインサート１０として知られており、既設のインサート１０として、最も多く使用されている一つである。
【０００４】
一方、前述の一般的なインサートを改良したインサートが特許文献１に記載されている。このインサートは、１個のインサートに複数のケーブルを横並びに連結できるようにしている。すなわち、スラブ下面に埋設する母体と、この母体に下から連結するケーブル支持部とを有し、ケーブル支持部と母体との間に複数のケーブルを横並びに支持するものである。母体には、下面に左右一対の凹部を設けてあり、この凹部にケーブル支持部を嵌合させて連結する。ケーブル支持部には、複数本のケーブルを横並びに載置できるように略水平状のケーブル支持面を形成している。このような改良によってケーブルを横並びに連結することが可能になった。
【０００５】
また、ケーブルを左右に支持するインサートが特許文献２のケーブルクランプ具として記載されている。このクランプ部は、スラブ内に埋設された本体の内部からクランプ片を下方に引き出すタイプのインサートで、下方に引き出したクランプ片の両側に一対のケーブルを支持するものである。
【特許文献１】実公平７−２７７８０号公報
【特許文献２】実公平２−２９７７１号公報
【発明の開示】
【発明が解決しようとする課題】
【０００６】
特許文献１に記載されているケーブル支持インサートによると、ケーブル支持部により、ケーブルを横並びに支持することは可能になっている。ところが、複数のケーブルを垂直方向に連結する場合は、このケーブル支持部が妨げになり、ケーブルを縦並びに連結することは不可能である。そのため、垂直方向への配線の変更やケーブル数の増加等に対応することができない不都合がある。
【０００７】
また、ケーブルを保持する構造のケーブル支持部を採用したことで、このケーブル支持部が保持可能なケーブルの数は２〜３本に制限されている。この結果、ケーブル数が横方向に増加する場合でも対応することが困難になっている。
【０００８】
しかも、特許文献１では、新規の工事に使用可能でも、構造上、既設のケーブル支持インサートを利用することは不可能である。しかしながら、従来のインサートを施工した後においても、弱電流電線を増設する工事は重要である。この場合、既設のケーブル支持インサートの設置方向に沿って、後施工で弱電流電線を増設するには、前述の如く、接着式ケーブル支持具を貼り付けて配線する手段等に限られていた。
【０００９】
更に、特許文献２に記載されたケーブルクランプ具では、スラブ内に埋設された本体の内部からクランプ片を下方に引き出す構成になっているので、このクランプ片に係止できるケーブルは、左右一対のケーブルに限られている。したがって、特許文献２も、前記特許文献１と同様に、垂直方向への配線の変更やケーブル数の増加等に対応することができない不都合があり、既設のケーブル支持インサートを利用することは不可能である。
【００１０】
このように、インサートを利用した従来のケーブル支持具にあっては、限られた数本のケーブルを横並びに係止することは可能でも、多数のケーブルを横並び及び縦並びのいずれにも自由に係止することは不可能であった。また、インサートを利用した従来のケーブル支持具は、既存のインサートを利用して支持するケーブルを増設することもできない。
【００１１】
そこで本発明は上述の課題を解消すべく創出されたもので、ケーブルを横並び及び縦並びのいずれにも支持することができ、しかも、既設のインサートを利用してケーブルを増設することも可能であるなど、極めて対応性に優れた増設工事が可能になるケーブル支持インサート用取付具の提供にある。
【課題を解決するための手段】
【００１２】
本発明の第１の手段は、スラブＱ下面に埋設されるケーブル支持用のインサート１０に装着する取付具であって、該インサート１０は、自身の中央から下方に垂設した突起状の支持部１１に紐状の結束具３０を挿通する挿通孔１３が設けられ、一方、取付具は、インサート１０支持部１１の挿通孔１３に連結する連結体１と、この連結体１に固定された固定板２と、固定板２の下面に連結されケーブルＰを支持する支持具３とから成り、該支持具３は、固定板２の下面に連結する連結部４と、連結部４の左右に対を成して設けられケーブルＰ側面を挟着するケーブル係止片５とを有し、１本の連結部４の鉛直下方に複数の支持具３を連設したことにある。
【００１３】
本発明の第２の手段は、前記支持具３において、連結部４に沿ってケーブル係止片５を連設した支持具３の列を、前記固定板２の下面に複数列配したものである。
【００１４】
本発明の第３の手段において前記インサート１０は、仮止釘２０が支持部１１の長手方向に沿って貫通することでスラブ型枠Ｒに固定され、スラブ型枠Ｒ除去後に仮止釘２０を除去する除去用口１２を支持部１１の下部に設け、支持部１１の上部を横方向に貫通し除去用口１２に交差する挿通孔１３が設けられている。
【００１５】
本発明の第４の手段において、前記連結体１は、釘２０を除去した後の除去用口１２の下方から除去用口１２の内部に挿入する送入杆１Ａと、該挿入杆１Ａの上端に設けられ、前記挿通孔１３に係止する係止爪１Ｂとを設けている。
【００１６】
本発明の第５の手段における前記固定板２は、インサート１０下面に近接するように装着され、固定板２の長手両端部が少なくともインサート１０下面に接触可能な長さに形成されたことを課題解消のための手段とする。
【発明の効果】
【００１７】
本発明の取付具によると、インサート１０の下面に連結する連結体１と、この連結体１に固定された固定板２と、固定板２の下面に連結されケーブルＰを支持する支持具３とにより、ケーブルＰを横並び及び縦並びのいずれにもワンタッチで支持することが可能になった。
【００１８】
また、支持具３は、固定板２の下面に連結する連結部４と、連結部４の左右に対を成して設けられケーブルＰ側面を挟着するケーブル係止片５とを有し、１本の連結部４の鉛直下方に複数の支持具３を連設しているので、一つのインサート１０でも、複数のケーブルＰを安定した状態で増設支持することができる。支持された複数本のケーブルＰは、一定の間隔を有するので、ケーブルＰが束になったときに生じる許容電流の低下現象を防止する効果も奏する。
【００１９】
しかも、連結部４に沿ってケーブル係止片５を連設した支持具３の列を、前記固定板２の下面に複数列配することで、更に多数のケーブルＰを、水平、垂直方向に増設支持することが可能になる。また、増設された多数のケーブルＰは支持具３によって整列されるので、見栄えが良好になり、ケーブル配線後の確認作業も容易である。
【００２０】
更に、連結体１は、既設の一般的なインサート１０に連結できるように設けているから、従来の資源を生かした増設工事も可能になり、新規工事に比べて配線工事のコストを大幅に低減することができる。
【００２１】
また、連結体１は、釘２０を除去した後の除去用口１２の下方から除去用口１２の内部に挿入する送入杆１Ａと、該挿入杆１Ａの上端に設けられ、前記挿通孔１３に係止する係止爪１Ｂとを設けているので、新規工事は勿論のこと、既設のインサートを利用した場合でも、極めて安定した状態で、連結体１を確実に連結できる。
【００２２】
さらに、固定板２は、インサート１０下面に近接するように装着され、固定板２の長手両端部が少なくともインサート１０下面に接触可能な長さに形成しているので、連結体１の左右に結束したケーブルＰの荷重が異なることで固定板２のバランスが崩れても、固定板２の端部がインサート１０やスラブＱ下面等に当接して固定板２のバランスを保つことができる。したがって、多数のケーブルＰを、横並び又は縦並び、若しくはこれらを組み合わせて支持した場合でも、極めて安定したケーブルＰ支持を行うことが可能になった。
【００２３】
また、このようなバランス効果は、既設のインサート１０に装着した場合でも全く同じ効果が得られるので、増設工事においても、ケーブルＰの支持本数が制限されるといった不都合は生じない。この結果、既設のインサートを利用してケーブルを増設することも可能になるなど、極めて対応性に優れた増設工事ができるものである。
【発明を実施するための最良の形態】
【００２４】
本発明によると、インサート１０支持部１１の挿通孔１３に連結する連結体１と、この連結体１に固定された固定板２と、固定板２下面に連結された支持具３とからなる。支持具３は、固定板２の下面に連結する連結部４と、連結部４の左右に対を成して設けられケーブルＰ側面を挟着するケーブル係止片５とを有し、１本の連結部４の鉛直下方に複数の支持具３を連設する。固定板２は、インサート１０下面に近接するように装着され、固定板２の長手両端部が少なくともインサート１０下面に接触可能な長さに形成される。この結果、たとえ既設のインサートを利用しても、極めて対応性に優れた増設工事が可能になるといった目的を実現した。
【実施例】
【００２５】
本発明取付具は、スラブＱ下面に埋設されるインサート１０の支持部１１に連結する取付具であり、該支持部１１に連結する連結体１と、連結体１の下端に固定された固定板２と、固定板２の下面に連結された支持具３とからなる（図２参照）。
【００２６】
すなわち、本発明の連結体１は、インサート１０の支持部１１に設けられた挿通孔１３に連結する構造を成す。図示の連結体１は、送入杆１Ａと係止爪１Ｂとで構成されている（図１参照）。送入杆１Ａは、釘２０を除去した後の除去用口１２の下方から除去用口１２の内部に挿入できるように設け、この送入杆１Ａの下端部に固定板２を固定している（図３参照）。一方、係止爪１Ｂは、送入杆１Ａの上端部に設けられ、除去用口１２の内部から支持部１１の挿通孔１３に係止する部分である。
【００２７】
図示の送入杆１Ａは、除去用口１２の内部で送入杆１Ａの幅が可変するように調整スリット１Ｃを設けている。そして、送入杆１Ａの上端部夫々に係止爪１Ｂが張り出すように設け、この係止爪１Ｂを除去用口１２に挿入した際に、除去用口１２内の送入杆１Ａが調整スリット１Ｃの作用で撓むように設けている。更に、除去用口１２内の係止爪１Ｂが挿通孔１３に到達すると、送入杆１Ａ自身の弾性によって送入杆１Ａが基の幅に戻り、これに伴なって係止爪１Ｂが挿通孔１３に係止する（図３参照）。
【００２８】
固定板２は連結体１の下端部に設けられ、連結体１を支持部１１に連結した際に、固定板２がインサート１０下面に近接する位置に設置している（図３参照）。これは、固定板２が傾いた場合に、固定板２の長手両端部がインサート１０下面やスラブＱ下面に接触することで、固定板２の傾きが拡大しないようにするためである。すなわち、固定板２が大きく傾くと、インサート１０の支持部１１に連結した連結体１が振動等によって外れ易くなる虞があるので、このような虞を防止している。図示の固定板２は矩形状を成しているが、円形状や多角形状など他の形状に変更することも可能である。
【００２９】
支持具３は、連結体１にケーブルＰを支持する部材であり、固定板２の下面に連結する連結部４と、連結部４の左右に対を成して設けられたケーブル係止片５とから成る（図１参照）。ケーブル係止片５は、ケーブルＰ側面を挟着するもので、連結部４の左右に配したケーブルＰの均衡を保って係止する。そして、このケーブル係止片５を連結部４の長手方向に沿って連設して複数本のケーブルＰを縦方向に支持できるようにしている（図３、図４参照）。
【００３０】
図３に示す支持具３は、１本の連結部４に沿って鉛直下方に複数のケーブル係止片５を連設している。また、図４に示す如く、連結部４に沿ってケーブル係止片５を連設した支持具３の列を、固定板２の下面に横並びにして複数列配してもよい。
【００３１】
連結部４は、固定板２の下面に連結されて鉛直下方に延びる部材で、この連結部４の左右で対を成すケーブル係止片５を設けている。図１乃至図４に示す連結部４は、係止片５と対向する側面を、傾斜するケーブル係止片５の側面と略平行に設けると共に、複数条の突起で滑止４Ａを形成している（図１参照）。一方、図５（イ）に示す連結部４は、係止片５の側面と対向する側面を係止片５の側面と対称形状に形成している。また、同図（ロ）に示す連結部４には、連結部４の長手方向に沿って水平方向に突出した係止片５を連設している。
【００３２】
ケーブル係止片５の形状は、図１乃至図４に示す如く、断面略Ｊ字状を成し、斜め上方からケーブルＰ側面を挿入するように形成することで、ケーブルＰの装着作業が容易になる。同図の実施例では、ケーブル係止片５の開口部にテーパーを設け、ケーブルＰ側面を導入する導入部５Ａを形成し、ケーブル係止片５の内側に設けた複数条の突起で滑止５Ｂを形成している（図１参照）。このようなケーブル係止片５によると、ケーブルＰの装着作業を更に容易にし、且つ、係止したケーブルＰを確実に固定することができる。
【００３３】
また、図５（イ）に示すようにケーブルＰを水平方向に並べるケーブル係止片５や、同図（ロ）に示すようなケーブルＰを垂直方向に並べるケーブル係止片５に変更することも可能である。同図のケーブル係止片５は、いずれも平行に設けたケーブル係止片５の開口端部を膨出させて、係止したケーブルＰの抜止５Ｃを形成している。
【００３４】
連結体１が連結するインサート１０は、特に次の構造を有するものである。例えば、インサート１０の中央から下方に突起状の支持部１１を垂設し、この支持部１１の長手方向に沿って仮止釘２０を貫通させることでスラブ型枠Ｒに固定する（図７参照）。仮止釘２０には、釘の上部側面に自身を切り離す切欠部２１が設けられており、スラブ型枠Ｒ除去後に、この切欠部２１で切断できるようにしている。インサート１０の支持部１１の下部には、仮止釘２０を切断するための除去用口１２を設けている。この除去用口１２は、仮止釘２０の切欠部２１から下の部分を揺動させるスペースで、仮止釘２０の下端部をペンチなどの工具（図示せず）で把持し、これを揺り動かすことで、仮止釘２０を切欠部２１から切断するものである（図８参照）。さらに支持部１１の上部に、紐状の結束具３０を挿通する挿通孔１３を設けている。この挿通孔１３は、支持部１１の上部を横方向に貫通し、前記除去用口１２と交差している。既設のインサート１０は、この挿通孔１３に結束具３０を挿通してケーブルＰを固定している（図６参照）。
【００３５】
また、切欠部２１を設けない仮止釘２０を使用し、該仮止釘２０をインサート１０の除去用口１２から強制的に引き抜くインサート１０もある（図９参照）。このインサート１０は、予め仮止釘２０の係止部位を薄肉状に形成することで、インサート１０から仮止釘２０を容易に引き抜けるようにしている（図示せず）。本発明取付具を装着する場合は、これらのインサート１０に装着する結束具３０に替えて、連結体１を挿通孔１３に連結するものである（図２参照）。したがって、本発明取付具は、新規工事で装着されるインサート１０は勿論のこと、既設のインサート１０に装着することができるものである。
【図面の簡単な説明】
【００３６】
【図１】本発明取付具の一実施例を示す斜視図である。
【図２】本発明取付具を装着する状態を示す側面図である。
【図３】本発明取付具の装着状態を示す側面図である。
【図４】本発明取付具の他の実施例を示す側面図である。
【図５】本発明取付具の他の実施例を示す側面図である。
【図６】従来のケーブル支持用インサートにケーブルを支持した状態を示す斜視図である。
【図７】従来のケーブル支持用インサートをスラブ型枠に固定した状態を示す側断面図である。
【図８】従来のケーブル支持用インサートから仮止釘を切断した状態を示す側断面図である。
【図９】従来の他のケーブル支持用インサートから仮止釘を除去した状態を示す側断面図である。
【符号の説明】
【００３７】
Ｐ  ケーブル
Ｑ  スラブ
Ｒ  スラブ型枠
１  連結体        １Ａ  送入杆
１Ｂ  係止爪
１Ｃ  調整スリット
２  固定板        ２Ａ  切欠部
２Ｂ  懸吊用板体
３  支持具
４  連結部        ３Ａ  滑止
５  係止片        ５Ａ  導入部
５Ｂ  滑止
５Ｃ  抜止
１０  インサート
１１  支持部
１２  除去用口
１３  挿通孔
２０  仮止釘
２１  切欠部
３０  結束具
【図１】
2005130632.tif 000003
【図２】
2005130632.tif 000004
【図３】
2005130632.tif 000005
【図４】
2005130632.tif 000006
【図５】
2005130632.tif 000007
【図６】
2005130632.tif 000008
【図７】
2005130632.tif 000009
【図８】
2005130632.tif 000010
【図９】
2005130632.tif 000011